(57)【要約】【課題】効率良く作業区画の盛り替え作業を実施可能であり、作業現場での安全性、迅速性及び経済性の向上に寄与することができるコーンバーを提供する。【解決手段】コーンバー１は、カラーコーン２の上部に取り付けられる。コーンバー１は、円筒部３を有しており、円筒部３の表面には所定のパターンの柄部５が設けられている。円筒部３には巻き取り可能な旗６が取り付けられている。旗６には作業区画の名称表示部７が設けられている。【選択図】図１
2018178439.tif 000002
【特許請求の範囲】
【請求項１】
円筒部を有するコーンバーであって、
前記円筒部に巻き取り可能な旗と、
前記旗に設ける作業区画の名称表示部と、を備えたコーンバー。
【請求項２】
前記円筒部の表面に所定のパターンを持つ柄部を設け、
前記旗において前記円筒部への巻き取りが完了した状態で外部から見える部分に、前記柄部と同様のパターンを持つ旗側の柄部を設けた請求項１に記載のコーンバー。
【請求項３】
前記名称表示部を前記旗の一方の面に設け、
前記旗側の柄部を前記旗の他方の面に設けた請求項２に記載のコーンバー。
【請求項４】
前記名称表示部及び前記旗側の柄部を前記旗の同一の面に設けた請求項２に記載のコーンバー。
【請求項５】
前記名称表示部及び前記旗側の柄部を前記旗の両面に設けた請求項４に記載のコーンバー。
【請求項６】
前記円筒部の内部に前記旗を内蔵可能な空洞部を設け、
前記円筒部には前記旗を引っ掛け可能な切れ込み部を設けた請求項１〜５のいずれかに記載のコーンバー。
【請求項７】
前記空洞部に前記旗を複数収納した請求項６に記載のコーンバー。
【請求項８】
前記旗の端部に前記切れ込み部に引っ掛け可能な持ち手部を取り付けた請求項６又は７に記載のコーンバー。
【請求項９】
前記円筒部の内部には前記旗を取り付け可能な芯棒を回転自在に設置し、
前記芯棒には当該芯棒を回転させるハンドル部を連結した請求項１〜８のいずれかに記載のコーンバー。
【請求項１０】
前記円筒部の端部にカラーコーンの上部に嵌め込み可能なフック部を回転自在に配置し、
前記フック部に前記芯棒を連結した請求項９に記載のコーンバー。
【発明の詳細な説明】
【技術分野】
【０００１】
本発明の実施形態はコーンバーに関する。
【背景技術】
【０００２】
建設工事等の作業現場には、様々な意図を持つ作業区画が設定されている。作業区画としては、立入禁止エリアや資材置場、作業通路などがある。広い作業現場では、このよう作業区画を形成することで、作業現場全体が雑然とすることなく、すっきりと区分される。そのため、作業現場での安全確保や整理整頓を実現することができる。
【０００３】
作業区画は、工事の進行状況によって変更される一時的で仮設的な区画である。そのため、持ち運びが容易なカラーコーンとコーンバーを適宜組み合わせることで形成されるのが一般的である。カラーコーンとは、主に赤で着色された合成樹脂製の円錐状部材であり、コーンバーとは、両端部にフック部が取り付けられた細長い円筒部材である。
【０００４】
コーンバーは、両端部のフック部をカラーコーンの上部に嵌め込むことで、所定の間隔で置かれたカラーコーン間の境界線となる。このコーンバーによる境界線で空間を区切ったり囲ったりすることで、作業区画が形成される。ただし、単に空間を区切るだけでは、その区画が、何のための区画であるのかが分かりにくい。
【０００５】
そのため、どのような作業区画であるのかを明示することが重要である。例えば、その作業区画が立入禁止エリアである場合、立入禁止エリアであることが明示されていなければ、作業区画を設定した意味が無い。そこで通常、作業区画には、作業区画の名称を表示した名称表示シートを貼り付けている。
【０００６】
例えば、図１１に示すように、コーンバー１の円筒部分の中ほどには、長方形の名称表示シート２４が取り付けられている。名称表示シート２４は接着テープ２５で直接貼り付けられる。名称表示シート２４としては、作業区画の名称（ここでは「立入禁止」）を表示した紙製のシートを、ラミネート加工したものなどが多い。
【先行技術文献】
【特許文献】
【０００７】
【特許文献１】特開２０００−３０３４１７号公報
【発明の概要】
【発明が解決しようとする課題】
【０００８】
作業現場では、作業の進行状況によって、作業区画の盛り替え作業が頻繁に行われている。作業区画の盛り替え作業には、作業区画の新設や解消、区画範囲の変更、区画の使用目的の変更などがある。このような盛り替え作業は、短いスパンでは数時間単位で実施されることがある。しかも、作業区画の範囲の変更と使用目的の変更が同時に実施されることも少なくない。具体的には、立入禁止エリアだった作業区画が縮小されて、その一部が作業エリアになったり、資材置場が縮小されて、その一部が作業通路になったりすることがある。
【０００９】
作業区画の盛り替え作業では、区画の広さや使用目的などに応じて、カラーコーンやコーンバーを新たに手配する必要がある。また、使用しなくなったカラーコーンやコーンバーは、所定の保管場所に片づけなくてはならず、作業に時間がかかっていた。これに加えて、作業区画の盛り替え作業では、新たな作業区画の名称に合わせて、新たな名称表示シートをコーンバーに付け直すという作業が不可欠となる。
【００１０】
名称表示シートの変更作業には、コーンバーから名称表示シートを外す作業、新たな名称表示シートを作る作業、名称表示シートをコーンバーに貼り直す作業などがあり、非常に面倒であった。このうち、名称表示シートを外す作業や貼り直す作業では、作業員が接着テープを剥がしたり貼り付けたりするが、これらの作業は手袋や軍手をしたままで行うことは難しく、作業性が低かった。
【００１１】
また、名称表示シートは通常、紙製であり、繰り返して使うことを想定していない。そのため、作業区画の名称としてよく使われるもの、例えば、「立入禁止」といったものでも、作業区画を作るたびに新たに作ることが多い。したがって、名称表示シートの利用効率は低く、コストが嵩んでいた。
【００１２】
本発明の実施形態は、以上の問題点を鑑みて提案されたものであり、コーンバーに作業区画の名称を表示する旗を取り付けることにより、効率良く作業区画の盛り替え作業を実施可能であり、作業現場での安全性、迅速性及び経済性の向上に寄与することができるコーンバーを提供することを課題とする。
【課題を解決するための手段】
【００１３】
上記の課題を解決するために、本実施形態は、円筒部を有するコーンバーであって、次の（１）、（２）の構成要素を備える。
（１）前記円筒部に巻き取り可能な旗。
（２）前記旗に設ける作業区画の名称表示部。
【図面の簡単な説明】
【００１４】
【図１】第１の実施形態の外形を示す図であり、（ａ）、（ｄ）は平面図、（ｂ）は旗における名称表示面を示す図、（ｃ）は旗における柄面を示す図であり、（ａ）〜（ｃ）は旗を広げた状態、（ｄ）は旗を巻いている状態を示す。
【図２】第１の実施形態の使用状態を示す図。
【図３】第１の実施形態において旗の巻き取り状態を示す側面図。
【図４】第２の実施形態の外形を示す図であり、（ａ）は平面図、（ｂ）は正面図。
【図５】第２の実施形態の側面断面図。
【図６】第２の実施形態の使用状態を示す図。
【図７】第３の実施形態の使用状態を示す断面図であり、（ａ）は旗を巻いている状態、（ｂ）は旗を広げた状態を示す。
【図８】第３の実施形態の側面断面図。
【図９】第３の実施形態の要部断面図であり、（ａ）はフック部を円筒部に取り付けた状態、（ｂ）はフック部を円筒部から取り外した状態を示す。
【図１０】第４の実施形態の外形を示す図であり、（ａ）は平面図、（ｂ）は正面図。
【図１１】一般的にカラーコーンとコーンバーの使用例を示す図。
【発明を実施するための形態】
【００１５】
［１］第１の実施形態
［構成］
第１の実施形態の構成について、図１〜図３を参照して説明する。図１は第１の実施形態の外形を示す図、図２は第１の実施形態の使用状態を示す図、図３は旗の巻き取り状態を示す側面図である。
【００１６】
図１及び図２に示すように、第１の実施形態に係るコーンバー１は、円錐状のカラーコーン２の上部に取り付けられる。カラーコーン２は、ポリエチレンなどの合成樹脂からなる赤色などの円錐状部材である。カラーコーン２は、高比重ゴム製のコーンベッドを重しにして路面に置かれるものもある。また、コーンベッドが底部に一体化されたカラーコーン２もある。
【００１７】
コーンバー１は、円筒部３を有してている。この円筒部３がコーンバー１の主要部であり、長さ寸法は1500ｍｍや2000ｍｍといった規格化されたものが多い。円筒部３はＡＢＳなどの合成樹脂から構成されている。円筒部３の表面には、所定のパターンで色分けされた柄部５が設けられている。柄部５としては、例えば、円筒部３の長手方向に沿って、黄色い円筒部分と黒い円筒部分とが交互に表示された、いわゆるトラ柄である。円筒部３の両端部にはフック部４が設置されている。フック部４は、その基部側が円筒部３の端部に嵌め込まれている。また、フック部４の先端部側にはカラーコーン２の上部に嵌め込み可能なリングが形成される。
【００１８】
コーンバー１には、円筒部３に巻き取り可能な旗６が、円筒部３から垂れ下がるようにして取り付けられている。円筒部３に対する旗６の取付構造は適宜選択可能であり、例えば、インシュロックなどを用いて円筒部３に旗６を固定するようにしてもよい。あるいは、旗６の縁部に面ファスナーなどを予め設けておき、円筒部３に巻き付けて垂れ下げた状態で面ファスナーにより旗６を固定するようにしてもよい。図１の（ａ）〜（ｃ）及び図２では、コーンバー１に取り付けられた旗６が、円筒部３から垂れ下がって広がっている状態を示している。
【００１９】
旗６は、円筒部３の長手方向全体に延びる横長の長方形状であり、素材としては布あるいはビニールなどからなる。旗６の素材である布あるいはビニールは、円筒部３に巻き取りが可能となるように、十分な柔軟性を有している。円筒部３に巻き取られた旗６は、紐や、面ファスナー付きのバンド（図示せず）などによって縛られることにより、巻き取られた状態を維持する。図１の（ｄ）では、旗６がコーンバー１に巻き取られた状態を示している。
【００２０】
また、広がった時の旗６の下辺部には、広がった旗６がはためかないように重し１６（図１の（ｂ）、（ｃ）に図示）が取り付けられている。重し１６は、旗６が広がった時の下辺部全体にわたる棒状の部材からなる。
【００２１】
旗６の一方の面には作業区画の名称表示部７が設けられている（図１の（ｂ）及び図２参照）。名称表示部７には作業区画の名称が横書きで示されている。また、旗６の他方の面には円筒部３の柄部５と同様のパターンで色分けされた旗側の柄部８が設けられている（図１の（ｃ）参照）。
【００２２】
つまり、旗側の柄部８は、柄部５と同じく、円筒部３の長手方向に沿って、黄色い円筒部分と黒い円筒部分とが交互に表示された、いわゆるトラ柄である。旗６において、作業区画の名称表示部７を設けた面を名称表示面とし、旗側の柄部８を設けた面を柄面とする。図１の（ｂ）が旗６の名称表示面を示しており、図１の（ｃ）が旗６の柄面を示している。旗側の柄部８は、旗６の柄面全体に設けられている。
【００２３】
図３は第１の実施形態において旗の巻き取り状態を示す側面図である。図３に示すように、旗６は、旗６の柄面側つまり旗側の柄部８が表側に出るようにして、コーンバー１の円筒部３の周囲に巻き付けられる。コーンバー１の円筒部３への旗６の巻き取りが完了した時点で、旗側の柄部８が外部から見える状態となる（図１の（ｄ）参照）。
【００２４】
［作用］
上記の構成を有する第１の実施形態では、コーンバー１に名称表示部７を設けた旗６を取り付けることで、作業区画の名称を示すことができる。図２では、旗６を取り付けた時のコーンバー１の使用状態を示している。
【００２５】
第１の実施形態では、旗側の柄部８が表側に出るようにしてコーンバー１の円筒部３の周囲に巻き取る。このため、コーンバー１の円筒部３に旗６の巻き取りが完了した時点で、旗側の柄部８が外部から見える（図１の（ｄ）参照）。このとき、コーンバー１側の柄部５と旗側の柄部８とは同様のパターンなので、コーンバー１側の柄部５と同一である。したがって、旗６の巻き付きによって多少コーンバー１が太く見えたとしても、遠目に見る限りではコーンバー１に旗６を巻い付いているとは解らず、外見的には通常のコーンバー１と何ら変わりがない。
【００２６】
［効果］
（１）以上のような第１の実施形態によれば、円筒部３を有するコーンバー１が、円筒部３に巻き取り可能な旗６を備えており、旗６を広げて名称表示部７を示すことにより、作業区画の名称を周知させることができる。
【００２７】
しかも、第１の実施形態では、旗６を巻いた状態でコーンバー１を使ったとしても、コーンバー１側の柄部５が旗６によって隠れたことにはならない。そのため、柄部５によって発揮されるコーンバー１の視認性の良さが失われることがない。
【００２８】
また、第１の実施形態は、円筒部３の長手方向全体に延びる横長の長方形状の旗６を有しているので、旗６は十分な大きさの表示面積を持つことができる。したがって、旗６に設けた名称表示部７は、作業区画から離れても見やすい大きさの文字を使うことが可能であり、良好な視認性を発揮することができる。
【００２９】
その結果、旗６の名称表示部７が作業区画の名称を明確に周知させることができ、作業現場における安全性の確保や整理整頓の徹底を、実現することが可能となる。また、名称表示部７は表示面積を広くすることができるので、作業区画の名称を表示するだけではなく、工事用安全標語や工事案内などの表示も可能であり、安全性がさらに向上する。
【００３０】
（２）作業区画の名称表示の変更作業を行う場合は、変更前の旗６を、変更後の名称を持つ名称表示部７の旗６に交換するだけでよい。したがって、従来のようにコーンバー１から接着テープ２５を剥がして名称表示シート２４を外す作業や、名称表示シート２４を接着テープ２５によってコーンバーに貼り直す作業といった面倒な作業は不要となる。その結果、作業時間を大幅に短縮することができる。しかも、作業員は手袋や軍手をしたままで旗６の交換を実施することができ、作業性が高い。
【００３１】
（３）また、従来では、作業区画の名称表示シート２４は通常、紙製であり、作業区画を盛り替えるごとに新たに作り換えていたので、名称表示シート２４の利用効率は低かった。しかし、本実施形態の旗６は、布あるいはビニール製なので、ラミネート加工された紙製のシートと比べて、優れた耐候性を発揮することができ、繰り返し使うことが可能である。
【００３２】
したがって、第１の実施形態では、作業区画の名称を変更するたびに、新たな名称表示シートを作り直す必要が無い。特に、作業区画の名称として頻繁に使われるもの、例えば、名称表示部７に「立入禁止」が表示された旗６などについては、利用率を高めることができ、使い捨てであった紙製のシートと比べて経済的である。
【００３３】
（４）第１の実施形態では、コーンバー１側の柄部５と旗側の柄部８とを同様のパターンで色分けしたので、旗６をコーンバー１に巻いても、コーンバー１側の柄部５が隠れることがない。また、仮に旗６が多少ずれたり、旗６の巻きが緩んだとしても、コーンバー１側の柄部５と旗側の柄部８とが同一パターンであるため、一連の柄にしか見えない。
【００３４】
したがって、作業区画を形成する時に、旗６を巻いた状態のコーンバー１を、旗６を巻いていないコーンバー１と混在させても、違和感がなく、これらのコーンバー１を同時に利用することができる。その結果、作業区画の盛り替え作業に際して、コーンバー１の数が足りずコーンバー１を片付けておいた保管場所までコーンバー１を必要数だけ取りに行くといった作業が不要となり、作業効率が格段に向上する。以上のような第１の実施形態によれば、作業区画の盛り替え作業時の作業効率を高めることができ、作業現場での安全性、迅速性及び経済性が向上する。
【００３５】
（５）第１の実施形態に係る旗６は、広がった時の下辺部全体にわたる棒状の重し１６を設けたので、旗６が風ではためくことが少なく、名称表示部７が見え難くなる心配がない。また、旗６を円筒部３に対して巻き取る時も、棒状の重し１６を持つことで旗６全体を均一に巻き取ることができる。そのため、旗６の巻き取りを確実に行うことができ、旗６を巻き取った状態でコーンバー１側の柄部５と旗側の柄部８とのパターンがずれ難い。さらに、旗６を円筒部３から広げる時も、棒状の重し１６を持つことで旗６全体をスムーズに広げることができる。
【００３６】
［２］第２の実施形態
［構成］ 
第２の実施形態の構成について図４〜図６を参照して説明する。図４は第２の実施形態の外形を示す図、図５は第２の実施形態の側面断面図、図６は第２の実施形態の使用状態を示す図である。なお、第２の実施形態の基本的な構成は、前記第１の実施形態と同様であるため、同一の構成要素については同一符号を付し、説明は省略する。
【００３７】
図４に第２の実施形態に係るコーンバー１１を示す。図４の（ａ）、（ｂ）に示すように、コーンバー１１の円筒部３には、旗６を引っ掛け可能な切れ込み部１０（図４の（ａ）では点線にて示す）が設けられている。切れ込み部１０は、円筒部３の長手方向に沿って細長く形成されるスリットである。
【００３８】
コーンバー１１は樹脂製であって、樹脂の持つ変形力により切れ込み部１０のスリット幅は若干広がるようになっている。切れ込み部１０のスリット幅が若干広がることで、切れ込み部１０に対して旗６の縁部（具体的には図５に示す持ち手部２２）が装脱可能となる。
【００３９】
図５に示すように、コーンバー１１の円筒部３の内部には、巻かれた状態の旗６を内蔵可能な空洞部９が設けられている。図５に示す例では、空洞部９には５本の旗６が内蔵可能である。旗６が巻かれた状態で最も内側に位置する縁部には、丸棒状の軸部２０が取り付けられている。また、旗６が巻かれた状態で最も外側に位置する縁部には、角棒状の持ち手部２２が取り付けられている。
【００４０】
各旗６は、空洞部９に収納された状態で（つまり巻かれた状態で）、各旗６の名称表示部７の種類が外部からでも分かるように構成されている。例えば、各旗６の名称表示部７の種類の判別は、旗６の端部に名称表示部７の種類が表示されてもよいし、旗６の色や旗６に付けたマークなどで区別されてもよい。また、空洞部９内での旗６の収納場所を予め決めておき、その収納場所の近くに名称表示部７の種類を明記しておくようにしてもよい。
【００４１】
第２の実施形態におけるフック部４は、その基部側が円筒部３に対して着脱自在に取り付けられている。そのため、フック部４を円筒部３から取り外すことで、空洞部９内から旗６を抜き出すことが可能である。
【００４２】
図５では、１本の旗６が広がった状態、残りの４本の旗５が巻かれた状態を示している。５本の旗６にはそれぞれ、作業区画の名称が表示された名称表示部７が設けられている。名称表示部７の種類は同一のものが含まれてもよいし、全て異なるものであってもよい。図６では、広がった旗６がコーンバー１１に垂れ下がって状態を示しており、作業区画の名称表示部７を設けた名称表示面側を示している。
【００４３】
［作用］
上記の構成を有する第２の実施形態では、次のようにして旗６を円筒部３に取り付ける。まず、フック部４を円筒部３から取り外し、巻かれた状態の旗６を空洞部９から抜き出す。旗６は、空洞部９に収納された状態でも（つまり巻かれた状態でも）、各旗６の名称表示部７の種類が外部からでも分かるようになっているので、所望の旗６を確実に選ぶことができる。
【００４４】
空洞部９から抜き出した旗６を広げて、旗６の持ち手部２２を切れ込み部１０の内部に強く押し込む。そして、持ち手部２２が切れ込み部１０の内側に完全に入りきって、切れ込み部１０のスリット幅が元の状態に戻ると、切れ込み部１０の内側に旗６の持ち手部２２が引っ掛かる（図６の状態）。また、円筒部３に取り付けた旗６を、空洞部９内部に戻す場合には、持ち手部２２を切れ込み部１０から取り外して旗６を巻き上げる。そして、フック部４を円筒部３から取り外し、巻かれた状態の旗６を空洞部９の元の位置に収納する。
【００４５】
［効果］
（１）以上のような第２の実施形態によれば、旗６の持ち手部２２を切れ込み部１０に強く押し込み、切れ込み部１０に旗６を引っ掛けるだけで、コーンバー１１の円筒部３への旗６の取り付けが可能である。したがって、旗６を広げて名称表示部７を示すことにより、作業区画の名称を容易に周知させることができる。
【００４６】
（２）第２の実施形態において、作業区画の名称表示の変更作業を行う場合は、空洞部９の中に収納した旗６の中から、所望の旗６を空洞部９から取り出して、作業区画の名称を表示することが可能である。このとき、いちいち別の保管場所まで旗６を取りに行く必要が無い。すなわち、作業区画の盛り替え作業に際して、コーンバー１１の数が足りずコーンバー１を片付けておいた保管場所までコーンバー１１を必要数だけ取りに行くといった作業が不要となる。
【００４７】
（３）さらに、コーンバー１から接着テープ２５を剥がして名称表示シート２４を外す作業や、名称表示シート２４を接着テープ２５によってコーンバーに貼り直す作業といった面倒な作業も省略可能である。また、使用していた旗６は、空洞部９内の所定の位置に戻せばよいので、別の保管場所まで旗６をわざわざ片付けに行く必要もない。したがって、作業区画の盛り替え作業を効率良く行うことができる。
【００４８】
（４）また、第２の実施形態では、コーンバー１１の空洞部９に旗６を収納するので、作業区画を形成する時に、旗６を収納したコーンバー１１を、通常のコーンバーとして利用することができる。したがって、コーンバー１１の利用効率を高めることができる。このような第２の実施形態によれば、作業区画の名称変更時の作業効率を大幅に高めることができ、作業現場での安全性、迅速性及び経済性が向上する。
【００４９】
（５）第２の実施形態は、空洞部９の中に旗６を複数有しているため、幅広い作業区画の名称変更に対応可能であり、利便性が高い。
【００５０】
（６）第２の実施形態に係る旗６は、巻かれた状態で最も外側に位置する縁部に角棒状の持ち手部２２を取り付けたので、旗６を広げる作業がしやすい。また、持ち手部２２が重しとなって旗６が風でバタつかず、名称表示部７が見え難くなる心配がない。また、旗６を円筒部３に対して巻き取る時は、丸棒状の軸部２０を持って巻き取ることができるので、旗６の巻き取り作業も容易である。
【００５１】
（７）第２の実施形態では、空洞部９にはスリット状の切れ込み部１０があるだけなので、空洞部９の内部に埃が入りにくく、空洞部９内に内蔵された旗６は汚れにくい。そのため、旗６を長期にわたって利用することができ、経済性が高い。
【００５２】
［３］第３の実施形態
［構成］
第３の実施形態の構成について図７〜図９を参照して説明する。図７は第３の実施形態の使用状態を示す断面図、図８は第３の実施形態の側面断面図、図９は第３の実施形態の要部断面図である。なお、第３の実施形態の基本的な構成は、前記第１の実施形態及び第２の実施形態と同様であるため、同一の構成要素については同一符号を付し、説明は省略する。
【００５３】
図７に第３の実施形態に係るコーンバー２１を示す。図７の（ａ）、（ｂ）に示すように、コーンバー１１の円筒部３の内部には旗６を取り付け可能な芯棒１２が回転自在に設置されている。芯棒１２は円筒部３の長手方向に沿って延びる棒状部材であり、円筒部３の中心に配置されている。
【００５４】
図８に示すように、コーンバー２１の円筒部３の内部には、巻かれた状態の旗６を内蔵可能な空洞部９が設けられている。図８に示す例では、空洞部９には５本の旗６が内蔵可能である。旗６が巻かれた状態で最も内側に位置する縁部には、中空の筒状部１５が設けられている。
【００５５】
旗６の筒状部１５には芯棒１２が挿入されるようになっている。旗６の筒状部１５に芯棒１２が挿入されるとき、両者は密着しており、内側の芯棒１２の回転力が外側に位置する旗６の筒状部１５に伝わるようになっている。旗６が巻かれた状態で最も外側に位置する縁部には、角棒状の持ち手部２２が取り付けられている。
【００５６】
５本の旗６にはそれぞれ、作業区画の名称が表示された名称表示部７が設けられている。名称表示部７の種類は同一のものが含まれてもよいし、全て異なるものであってもよい。各旗６は、上記第２の実施形態と同様、空洞部９に収納された状態で（つまり巻かれた状態で）、各旗６の名称表示部７の種類が外部からでも分かるように構成されている。
【００５７】
図８では、１本の旗６が芯棒１２に取り付けられて少し広がった状態、残りの４本の旗５が巻かれた状態を示している。図７の（ｂ）では、広がった旗６がコーンバー１１に垂れ下がって状態を示しており、作業区画の名称表示部７を設けた名称表示面側を示している。
【００５８】
図９に示すように、円筒部３の両端部のフック部４には円筒部３の内側方向に突出する連結部１４が一体的に設けられている。連結部１４には、芯棒１２の端部が挿脱自在に取り付けられるようになっている。第３の実施形態のフック部４には、略カップ状の嵌合部１３が設けられており、嵌合部１３が円筒部３に対して着脱自在に取り付けられている。円筒部３に対する嵌合部１３の着脱構造は適宜選択可能である。
【００５９】
図９に示した嵌合部１３の着脱構造は、円筒部３の外周部側に設けられた係合爪１７と、嵌合部１３の内周部側に設けられた係合爪１８からなる。係合爪１７、１８は、嵌合部１３が円筒部３の両端部に装着されるとき、互いに係合し、係合を解除することで、円筒部３の両端部からの嵌合部１３の取り外しが可能となる。
【００６０】
嵌合部１３が円筒部３の両端部に装着されるとき、フック部４の連結部１４の内部には芯棒１２の端部が挿入される。このとき、フック部４が回転すると、フック部４と一体的に設けた連結部１４も同様に回転し、連結部１４に挿入された芯棒１２に回転力が伝わる。つまり、フック部４が芯棒１２のハンドル部となっている。前述したように旗６の筒状部１５に芯棒１２を挿入するとき、芯棒１２の回転力は旗６の筒状部１５に伝わるので、芯棒１２が回転することで旗６が回転する。
【００６１】
第３の実施形態に係るコーンバー２１の円筒部３には、第２の実施形態のコーンバー１１と同じく、切れ込み部１０が設けられている。ただし、第３の実施形態の切れ込み部１０は、旗６の持ち手部２２が空洞部９の内側から外側に容易に抜けるようなスリット幅に設定されている（図８参照）。
【００６２】
［作用］
上記の構成を有する第３の実施形態では、以下のようにして旗６を円筒部３に取り付ける。まず、係合爪１７、１８の係合を解除して、円筒部３からフック部４の嵌合部１３を取り外し、巻かれた状態の旗６を空洞部９から抜き出す。このとき、空洞部９に収納された状態でも（つまり巻かれた状態でも）、各旗６の名称表示部７の種類が外部からでも分かるようになっているので、所望の旗６を確実に選ぶことができる。ここまでは前記第２の実施形態と同様である。
【００６３】
次に、第３の実施形態では、空洞部９から抜き出した旗６を巻いた状態のまま、旗６の筒状部１５を芯棒１２に挿入する。続いて、旗６を少し広げて、旗６の持ち手部２２を切れ込み部１０の内側から外側に通して、空洞部９の内側から外側に引き出す。この状態でフック部４の嵌合部１３を円筒部３に再度取り付け、係合爪１７、１８を係合させる。
【００６４】
嵌合部１３が円筒部３の両端部に装着されると、フック部４の連結部１４の内部には芯棒１２の端部が挿入され、芯棒１２には連結部１４を介してフック部４が連結される。フック部４の嵌合部１３を円筒部３に取り付けた後、持ち手部２２を切れ込み部１０から外側に引き出し、旗６の名称表示部７が外部から見えるようになるまで、旗６を完全に引っ張り出して広げる（図７の（ｂ）の状態）。
【００６５】
第３の実施形態において、円筒部３に取り付けた旗６を、空洞部９内部に戻す場合には、カラーコーン２からフック部４を外し、フック部４を回転させることで芯棒１２を回転させる。芯棒１２が回転すると、芯棒１２が挿入された筒状部１５が回転するので、旗６は、切れ込み部１０を通過して空洞部９の内側に入り込みながら、巻き上げられていく。
【００６６】
そして、切れ込み部１０を持ち手部２２が通過して、旗６が完全に巻きあがるまでフック部４を回転させる。その後、フック部４の嵌合部１３を円筒部３から取り外し、巻き終わった状態の旗６の筒状部１５を芯棒１２から抜き、旗６を空洞部９の元の位置に収納する。
【００６７】
［効果］
（１）以上のような第３の実施形態によれば、旗６の筒状部１５には芯棒１２が挿入した後、切れ込み部１０から旗６の持ち手部２２を引き出すだけで、旗６を広げることができる。したがって、第３の実施形態では、旗６を巻いた状態のまま、円筒部３に取り付けることができる。そのため、広げた状態の旗６を円筒部３に取り付ける場合に比べて、旗６の取り付け作業が容易となる。
【００６８】
さらに、旗６を片付ける場合には、フック部４が芯棒１２を回転させるハンドル部となるので、フック部４の回転により旗６をスムーズに巻き上げることができる。したがって、第３の実施形態では、作業区画の名称表示の変更作業をより効率良く迅速に行うことが可能となる。
【００６９】
（２）第３の実施形態では、旗６の巻き上げ作業に際して、フック部４を介して芯棒１２を回転させるだけなので、作業員が直接、旗６に触れることがない。そのため、旗６が軍手や手袋などで汚れることがなく、旗６を長期にわたって利用することができ、経済性が高い。
【００７０】
（３）第３の実施形態に係る旗６は、旗６の筒状部１５に芯棒１２を挿入しており、且つ切れ込み部１０にて広げた状態の旗６を押えることができる。しかも、持ち手部２２が重しとなっているので、旗６は垂直な状態を維持することができ、名称表示部７が見え難くなる心配がない。
【００７１】
［４］第４の実施形態
［構成］
第４の実施形態の構成について図１０を参照して説明する。図１０は第４の実施形態の外形を示す図であり、（ａ）は平面図、（ｂ）は正面図である。なお、第４の実施形態の基本的な構成は、前記第１の実施形態と同様である。そのため、同一の構成要素については同一符号を付し、説明は省略する。
【００７２】
第４の実施形態に係るコーンバー３１において、旗６の縁部には円筒部３の長手方向に沿って持ち手部２２が取り付けられている。持ち手部２２は旗６の縁部全体にわたって延びる部材から構成されている。持ち手部２２には、旗６を円筒部３に引っ掛けるための引っ掛け爪１９が等間隔に複数設けられている（図１０の（ａ）に図示）。引っ掛け爪１９は、引っ掛ける方向に弾性力を有する略半円状の樹脂部材などからなる。
【００７３】
［作用と効果］
このような第４の実施形態では、持ち手部２２に設けた引っ掛け爪１９は、引っ掛ける方向に弾性力があり、しかも略半円状なので、円筒部３に容易に引っ掛けることができ、旗６をコーンバー３１側に素早くスムーズに取り付けることができる。
【００７４】
したがって、旗６の交換作業を容易に行うことができ、作業区画の名称表示の変更作業の作業効率がさらに向上する。また、持ち手部２２には引っ掛け爪１９を等間隔に複数設けたので、旗６が風を受けても外れにくく、名称表示部７が見え難くなることがない。
【００７５】
［５］他の実施形態
上記の実施形態は、一例であって、発明の範囲を限定するものではなく、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【００７６】
例えば、第１の実施形態において、旗側の柄部８は、円筒部３への旗６の巻き取りが完了した状態で見えている部分に設けられていればよく、作業区画の名称表示部７と旗側の柄部８を、旗６の別々の面に設けるのではなく、同一の面に設けるようにしてもよい。
【００７７】
仮に、円筒部３の円周を１５ｃｍとすると、この長さが旗６において円筒部３への旗６の巻き取りが完了した状態で見えている寸法となる。そこで、旗６を垂らした時の下辺部から１５ｃｍの幅だけ旗側の柄部８を設けておけば、円筒部３への旗６の巻き取りが完了した時点で旗側の柄部８が見えていることになる。
【００７８】
つまり、旗側の柄部８は旗６を垂らした時の下辺部から１５ｃｍの幅だけで済み、そこから上の部分には旗側の柄部８を設ける必要が無い。したがって、旗側の柄部８の上側に作業区画の名称表示部７を設けることが可能となり、名称表示部７と旗側の柄部８を同一の面に設けることができる。
【００７９】
このとき、１つの旗６の表面と裏面に、異なる種類の名称表示部７を設けることも可能である。これにより、旗６の利用効率を高めることができる。また、１つの旗６の両面に、同一の名称表示部７を設けることも可能であり、この場合は、名称表示部７が周囲から見やすくなるといったメリットがある。
【００８０】
旗６の素材や大きさ、形状などは適宜変更可能であり、例えば、再帰反射シートを利用しても良い。また、空洞部９に収納される際の旗６の形態なども適宜変更可能であって、例えば、旗６は円筒状に巻かれるのではなく、横長の長方形状に複数回折られていてもよい。
【００８１】
旗６は、円筒部３の長手方向全体に延びる必要はなく、円筒部３の長手方向の寸法よりも短くても良い。この場合でも、コーンバー側の柄部５と旗側の柄部８とは同様のパターンであれば、一連の柄にしか見えない、したがって、コーンバーの視認性が低下することもなく、且つコーンバーの使い勝手も向上する。
【００８２】
第３の実施形態における芯棒１２は、旗６の筒状部１５に挿入するようにしたが、これに限らない。例えば、第２の実施形態に示した丸棒状の軸部２０を芯棒１２として機能させて、軸部２０の端部を連結部１４に着脱自在に取り付けるよにしてもよい。また、第３の実施形態では、フック部４を芯棒１２のハンドル部としたが、これに限らず、芯棒１２のハンドル部を独立して設けるようにしてもよい。また、コーンバー１の柄部５の柄の色は、コントラストの高さから黄色と黒が一般的であるが、この組み合わせの他にも、赤と白との組み合わせなど、適宜選択自由である。
【符号の説明】
【００８３】
１、１１、２１、３１…コーンバー
２…カラーコーン
３…円筒部
４…フック部
５…柄部
６…旗
７…名称表示部
８…旗側の柄部
９…空洞部
１０…切れ込み部
１２…芯棒
１３…嵌合部
１４…連結部
１５…筒状部
１６…重し
１７、１８…係合爪
１９…引っ掛け爪
２０…軸部
２２…持ち手部
２４…名称表示シート
２５…接着テープ
【図１】
2018178439.tif 000003
【図２】
2018178439.tif 000004
【図３】
2018178439.tif 000005
【図４】
2018178439.tif 000006
【図５】
2018178439.tif 000007
【図６】
2018178439.tif 000008
【図７】
2018178439.tif 000009
【図８】
2018178439.tif 000010
【図９】
2018178439.tif 000011
【図１０】
2018178439.tif 000012
【図１１】
2018178439.tif 000013